(57)【要約】【課題】段差の変更が容易にできるストリップ階段を提供する。【解決手段】上下階に渡って斜めに設置されるささら桁１０と、このささら桁１０の長手方向に所定間隔で設けられた段板支持プレート３０と、を備えたストリップ階段１において、前記段板プレート３０は、前記ささら桁１０の傾斜面１０ａの幅と略等しい幅の切欠部３１と、前記ささら桁１０を前記切欠部３１に係合させた状態で前記ささら桁１０に固定する固定部３２と、を備えるよう構成した。【選択図】図６
2006009358.tif 000002
【特許請求の範囲】
【請求項１】
上下階に渡って斜めに設置されるささら桁と、このささら桁の長手方向に所定間隔で設けられた段板プレートと、を備えたストリップ階段において、
前記段板プレートは、前記ささら桁の傾斜面の幅と略等しい幅の切欠部と、前記ささら桁を前記切欠部に係合させた状態で前記ささら桁に固定する固定部と、
を備えることを特徴とするストリップ階段。
【請求項２】
前記固定部は、前記切欠部の切欠端部の少なくとも一部が上方に折り返されて形成されていることを特徴とする請求項１記載のストリップ階段。
【請求項３】
前記段板プレートの上面を覆う段板カバーを備えることを特徴とする請求項１又は２記載のストリップ階段。
【請求項４】
前記段板カバーは、前記ささら桁の傾斜面の幅と略等しい凹部を備えることを特徴とする請求項３記載のストリップ階段。
【請求項５】
前記段板プレートは、縁部に、前記段板カバー側に折れ曲がった折曲部を備え、
前記段板カバーは、前記折曲部と係合する係合溝を備えることを特徴とする請求項３又は４に記載のストリップ階段。
【請求項６】
前記段板カバーは、前記段板プレートに取り付けられた際に、前記固定部を収容する収容部を備えることを特徴とする請求項３〜５の何れか一項に記載のストリップ階段。
【発明の詳細な説明】
【技術分野】
【０００１】
本発明は、ストリップ階段に関する。
【背景技術】
【０００２】
近年、室内の見映えが良くなること、通気性や採光性に優れていることなどの理由から、建物の室内階段として、ストリップ階段の需要が高まっている。このストリップ階段は、複数個の段板支持部を備えるささら桁に、複数枚の段板を取り付けて構成されている（特許文献１参照）。
【特許文献１】特開平１１−３０３２１６号公報
【発明の開示】
【発明が解決しようとする課題】
【０００３】
しかしながら、上述のようなストリップ階段は、段板支持部を備えるささら桁の作製時に、段板支持部同士の間隔、すなわち、ストリップ階段の段差が決まるため、ストリップ階段の設置条件やストリップ階段を設置する建物の利用目的などに合わせた段差の変更が困難であるという問題があった。
【０００４】
本発明の課題は、段差の変更が容易にできるストリップ階段を提供することにある。
【課題を解決するための手段】
【０００５】
上記課題を解決するために、請求項１に記載の発明は、上下階に渡って斜めに設置されるささら桁１０と、このささら桁１０の長手方向に所定間隔で設けられた段板プレート（段板支持プレート３０）と、を備えたストリップ階段１において、前記段板プレート３０は、前記ささら桁１０の傾斜面１０ａの幅と略等しい幅の切欠部３１と、前記ささら桁１０を前記切欠部３１に係合させた状態で前記ささら桁１０に固定する固定部３２と、を備えることを特徴とする。
【０００６】
請求項２に記載の発明は、請求項１に記載のストリップ階段１であって、前記固定部３２は、前記切欠部３１の切欠端部の少なくとも一部が上方に折り返されて形成されていることを特徴とする。
【０００７】
請求項３に記載の発明は、請求項１又は２に記載のストリップ階段１であって、前記段板プレート３０の上面を覆う段板カバー４０を備えることを特徴とする。
【０００８】
請求項４に記載の発明は、請求項３に記載のストリップ階段１であって、前記段板カバー４０は、前記ささら桁１０の傾斜面１０ａの幅と略等しい凹部４１を備えることを特徴とする。
【０００９】
請求項５に記載の発明は、請求項３又は４に記載のストリップ階段１であって、前記段板プレート３０は、縁部に、前記段板カバー４０側に折れ曲がった折曲部（立ち上がり部３４）を備え、前記段板カバー４０は、前記折曲部３４と係合する係合溝４３を備えることを特徴とする。
【００１０】
請求項６に記載の発明は、請求項３〜５の何れか一項に記載のストリップ階段１であって、前記段板カバー４０は、前記段板プレート３０に取り付けられた際に、前記固定部３２を収容する収容部４２を備えることを特徴とする。
【発明の効果】
【００１１】
請求項１に記載の発明によれば、段板プレート３０の切欠部３１をささら桁１０に係合させ、固定部３２をささら桁１０に固定するだけで、段板プレート３０をささら桁１０に取り付けることができるので、段板プレート３０をささら桁１０に固定する際に、段板プレート３０同士の間隔、すなわち、ストリップ階段１の段差を決めることができることとなって、ストリップ階段１の設置条件やストリップ階段１を設置する建物の利用目的などに合わせて、ストリップ階段１の段差を容易に変更することができる。
また、段板プレート３０の切欠部３１をささら桁１０に係合させるだけで、段板プレート３０を前後及び左右方向に片寄ることなく、ささら桁１０に固定することができることとなって、効率的にストリップ階段１の設置作業を進めることができる。
【００１２】
請求項２に記載の発明によれば、請求項１に記載の発明と同様の効果が得られることは無論のこと、段板プレート３０の固定部３２が、段板プレート３０の上方にあるため、段板プレート３０をささら桁１０に固定する際に、ささら桁１０に対する段板プレート３０の固定位置を容易に確認することができ、また、例えば、段板プレート３０をささら桁１０に固定する部材であるボルトなどの取り付けも容易に行うことができることとなって、効率的にストリップ階段１の設置作業を進めることができる。
【００１３】
請求項３に記載の発明によれば、請求項１又は２に記載の発明と同様の効果が得られることは無論のこと、段板プレート３０には、主に段板としての強度を担保させ、段板カバー４０には、主に段板としての見映えを担わせることができることとなって、高い安全性と高い意匠性とを兼ね備えたストリップ階段１を提供することができる。
【００１４】
請求項４に記載の発明によれば、請求項３に記載の発明と同様の効果が得られることは無論のこと、段板カバー４０の凹部４１は、段板プレート３０の切欠部３１と重なるように備えられているため、段板カバー４０によって、段板プレート３０の上面全体を覆うことができることとなって、外観に優れた見映えの良いストリップ階段１を提供することができる。
【００１５】
請求項５に記載の発明によれば、請求項３又は４に記載の発明と同様の効果が得られることは無論のこと、段板プレート３０の折曲部３４と、段板カバー４０の係合溝４３とを係合させるだけで、段板プレート３０上における、段板カバー４０の位置を容易に決めることができることとなって、効率的にストリップ階段１の設置作業を進めることができる。
【００１６】
請求項６に記載の発明によれば、請求項３〜５の何れか一項に記載の発明と同様の効果が得られることは無論のこと、段板カバー４０の収容部４２によって、段板プレート３０の固定部３２を隠すことができることとなって、より外観に優れた見映えの良いストリップ階段１を提供することができる。
【発明を実施するための最良の形態】
【００１７】
以下、図を参照して、本発明にかかるストリップ階段１の最良の形態について詳細に説明する。
本実施の形態のストリップ階段１は、図１に示すように、上下階に渡って斜めに設置された二本のささら桁１０、１０と、このささら桁１０の長手方向に所定間隔で設けられた複数の段板２０…と、段板２０に一端が固定され、段板２０に対し略垂直に設けられた複数の手すり子５１…と、この複数の手すり子５１…の他端を連結した手すり５０と、を備えて構成されている。段板２０は、図２に示すように、ささら桁１０に固定された段板支持プレート３０と、この段板支持プレート３０に支持され、段板支持プレート３０の上面および端面を覆う段板カバー４０とを備えている。
【００１８】
ささら桁１０は、図１に示すように、ささら桁１０の傾斜面１０ａの幅方向に沿って左右２本、並列して設けられている。
ささら桁１０を形成する材料は、一般にささら桁を形成する材料であれば特に制限は無く、例えば、スチール製の中空角材（図３参照）、木製の角材、などが挙げられる。
ささら桁１０の下端には、図７に示すように、下階床面Ａに設けられたささら桁位置決め用の受け材６０を収容する受け材用凹部１１が設けられており、ささら桁１０の下端は、ささら桁固定用ボルト６１などによって受け材６０に固定されている。ここで、受け材６０の上面には、図６に示すように、きしみ防止テープ６２が貼り付けられている。
【００１９】
段板支持プレート３０を形成する材料は、段板としての強度を備える材料であれば特に制限は無く、例えば、スチール製のプレートなどが挙げられる。
【００２０】
段板支持プレート３０には、図４に示すように、段板支持プレート３０の平面部３０ａの一方の長手縁部の中央部に、図３に示すささら桁１０の傾斜面１０ａの幅と略等しい幅の切欠部３１、３１が二つ並設されている。切欠部３１、３１の間隔は、受け材６０に固定されたささら桁１０、１０の間隔と合致するように設定されている。
【００２１】
平面部３０ａの各切欠部３１に面する切欠端部のうち、平面部３０ａの幅方向内側の切欠端部及び長手方向外側の切欠端部には、それぞれ平面部３０ａの上方に折り曲げられて形成された固定部３２ａ及び３２ｂが設けられている。各固定部３２ａ及び３２ｂには、それぞれ貫通孔であるボルト穴３３ａ及び３３ｂが設けられている。
【００２２】
固定部３２ａは、図４に示すように、平面部３０ａに対する傾斜角度が、受け材６０に固定されたささら桁１０の傾斜面１０ａの傾斜角度と等しくなるように設けられている。固定部３２ａは、切欠部３１とささら桁１０とが係合した状態で、ささら桁１０の傾斜面１０ａに当接するように設けられている。
固定部３２ｂは、図４に示すように、平面部３０ａに対して略直角に起立して設けられている。固定部３２ｂは、切欠部３１とささら桁１０とが係合した状態で、図３に示すささら桁１０の側面１０ｂに当接するように設けられている。
ここで、固定部３２ａ及び３２ｂのささら桁１０と当接する面には、図４に示すように、きしみ防止テープ３５が貼り付けられている。
【００２３】
段板支持プレート３０は、図６に示すように、切欠部３１をささら桁１０に係合させた状態で、固定部３２ａ及び３２ｂのボルト穴３３ａ及び３３ｂにそれぞれ通したボルト３６ａ及び３６ｂによって、ささら桁１０に固定されるようになっている。
【００２４】
また、平面部３０ａの一つの短手端部を除いた三つの端部には、例えば、図４に示すように、平面部３０ａの上方に折り曲げられて形成された立ち上がり部３４ａ、３４ｂ、３４ｃが設けられている。
【００２５】
段板カバー４０を形成する材料は、主に段板としての見映えを良くすることが可能な材料であれば特に制限は無く、例えば、合板などが挙げられる。また、より見映えを良くするために、合板などの上面及び側面に、例えば、タイルなどを貼り付けて形成されても良い。
【００２６】
段板カバー４０の一方の長手縁部の中央部には、図５（ａ）及び（ｂ）に示すように、ささら桁１０の傾斜面１０ａの幅と略等しい幅の凹部４１、４１が二つ並設されている。凹部４１、４１の間隔は、受け材６０に固定されたささら桁１０、１０の間隔と合致するように設定されている。
【００２７】
凹部４１には、ささら桁１０に固定された段板支持プレート３０の固定部３２ａ及び固定部３２ａに取り付けたボルト３６ａを収容する収容部４２ａと、固定部３２ｂ及び固定部３２ｂに取り付けたボルト３６ｂを収容する収容部４２ｂとが設けられている。
【００２８】
また、段板カバー４０の下面は、図５（ｂ）に示すように、長手縁部に対して略平行に形成された係合溝４３ａ、４３ｂと、一方の短手縁部に形成された係合溝４３ｃとを備えている。係合溝４３ａ、４３ｂ及び４３ｃの深さや長さは、それぞれ段板支持プレート３０の立ち上がり部３４ａ、３４ｂ及び３４ｃに係合するように設定されている。
【００２９】
段板カバー４０の係合溝４３ｃが設けられた短手縁部と反対側の短手縁部には、図５（ａ）及び（ｂ）に示すように、嵌合溝４４ａ及び貫通孔であるビス穴４４ｂが設けられている。
嵌合溝４４ａは、図２に示すように、段板カバー４０に対し略垂直に配置される手すり子５１ａと嵌合するように形成されている。また、図２に示すように、ビス穴４４ｂに通したビス５２によって手すり子５１ｂが段板カバー４０に固定される。
【００３０】
次いで、上記のような構成部材からなるストリップ階段１の取付方法について説明する。
【００３１】
まず、図６に示すように、ささら桁１０の傾斜面１０ａの所定位置に、ボルト穴１２ａを設け、ささら桁１０の側面１０ｂの所定位置に、ボルト穴１２ｂ、１２ｃを設ける。ここで、ボルト穴１２ａ、１２ｂは、段板支持プレート３０をささら桁１０に固定する際に使用され、ボルト穴１２ｃは、ささら桁１０の下端をささら桁固定用の受け材６０に固定する際に使用される。
【００３２】
そして、図７に示すように、ささら桁１０の下端に設けられた受け材用凹部１１を、下階床面Ａにあらかじめ設置されている受け材６０に嵌め合わせる。さらに、ボルト穴１２ｃに通したささら桁固定用ボルト６１によって、ささら桁１０の下端を受け材６０に固定する。
【００３３】
ささら桁１０を上下階に渡って取り付けたら、次に、図６に示すように、段板支持プレート３０及び段板カバー４０を順次取り付ける。
【００３４】
まず、段板支持プレート３０の切欠部３１をささら桁１０に係合させる。このとき、段板支持プレート３０の固定部３２ａ及び３２ｂが、それぞれに貼り付けられたきしみ防止テープ３５を介して、それぞれささら桁１０の傾斜面１０ａ及び側面１０ｂに当接し、且つ、段板支持プレート３０のボルト穴３３ａ及び３３ｂが、それぞれささら桁１０のボルト穴１２ａ及び１２ｂと重なるような位置及び角度で係合させる。
段板支持プレート３０の固定位置が決まったら、ボルト穴３３ａ及び３３ｂにそれぞれ通したボルト３６ａ及び３６ｂによって、段板支持プレート３０をささら桁１０に固定する。
【００３５】
そして、段板カバー４０の凹部４１をささら桁１０に係合させ、段板カバー４０の下面を段板支持プレート３０の平面部３０ａの上面に当接させる。このとき、段板カバー４０の下面に備えられた係合溝４３ａ、４３ｂ及び４３ｃは、それぞれ段板支持プレート３０の立ち上がり部３４ａ、３４ｂ及び３４ｃに係合する。また、段板カバー４０の凹部４１に設けた収容部４２ａ及び４２ｂ（図５（ｂ）参照）によって、それぞれ段板支持プレート３０の固定部３２ａと固定部３２ａに取り付けたボルト３６ａ及び固定部３２ｂと固定部３２ｂに取り付けたボルト３６ｂが収容される。
段板カバー４０の固定位置が決まったら、ビスや接着剤などを用いて、段板カバー４０を段板支持プレート３０に固定する。
【００３６】
ささら桁１０に全ての段板支持プレート３０及び段板カバー４０を取り付けたら、最後に、図１、図２及び図７に示すように、手すり５０及び手すり子５１を取り付ける。
【００３７】
例えば、図２に示すように、一枚の段板カバー４０に対して略垂直になるよう、三本の手すり子５１を取り付ける。三本の手すり子５１のうち、二本の手すり子５１ｂ、５１ｂは、段板カバー４０のビス穴４４ｂに通したビス５２によって、段板カバー４０に固定される。残りの一本の手すり子５１ａは、段板カバー４０の嵌合溝４４ａに嵌め合わされ、当該段板カバー４０の下段の段板カバー４０のビス穴４４ｂに通したビス５２によって下段の段板カバー４０に固定される。
【００３８】
以上説明した本発明のストリップ階段１によれば、段板支持プレート３０が固定部３２を備えているため、ストリップ階段１の設置作業における、段板支持プレート３０のささら桁１０への固定の際に、段板支持プレート３０同士の間隔、すなわち、ストリップ階段１の段差を決めることができることとなって、ストリップ階段１の設置条件やストリップ階段１を設置する建物の利用目的などに合わせて、ストリップ階段１の段差を容易に変更することができる。
また、段板としての強度を備えた段板支持プレート３０の上面及び端面を、段板としての見映えを備えた段板カバー４０で覆うことによって、高い安全性と高い意匠性とを兼ね備えたストリップ階段１を提供することができる。
【００３９】
なお、本発明は、上記した実施の形態のものに限るものではない。
例えば、上記実施形態において、段板２０は、段板支持プレート３０と、この段板支持プレート３０に支持され、段板支持プレート３０の上面及び端面を覆う段板カバー４０とを備えている構成としたが、段板支持プレート３０のみで段板を構成してもよい。
【００４０】
また、設置するささら桁１０の本数は、ストリップ階段１を構成する部材としての強度を保ち、且つ、ストリップ階段１の設置場所の幅方向に沿って設けられていれば、特に制限は無い。このとき、段板支持プレート３０の切欠部３１及び段板４０の凹部４１は、ささら桁１０の本数と合致する個数分、受け材６０に固定されたささら桁１０同士の間隔と合致するような間隔で、設ける必要がある。
【００４１】
また、段板カバー４０の凹部４１は、必ずしも設けなくてよく、その場合、段板カバー４０は、ささら桁１０よりも前方部分の段板支持プレート３０を覆うこととなる。
段板支持プレート３０の立ち上がり部３４（３４ａ、３４ｂ、３４ｃ）及び段板カバー４０の係合溝４３（４３ａ、４３ｂ、４３ｃ）は、必ずしも設けなくてよく、段板支持プレート３０に段板カバー４０が取り付け可能であればよい。
段板カバー４０の収容部４２（４２ａ、４２ｂ）は、必ずしも設けなくてよく、段板支持プレート３０の固定部３２（３２ａ、３２ｂ）を露出させてもよい。
【００４２】
段板支持プレート３０の固定部３２ａ及び３２ｂのささら桁１０と当接する面に貼り付けたきしみ防止テープ３５、ささら桁位置決め用の受け材６０の上面に貼り付けたきしみ防止テープ６２は、必ずしも備える必要はない。
【図面の簡単な説明】
【００４３】
【図１】本実施の形態のストリップ階段を含む居室内要部を示す斜視図である。
【図２】ストリップ階段の背面側から見た斜視図である。
【図３】ささら桁の斜視図である。
【図４】段板支持プレートの上面側から見た斜視図である。
【図５】段板カバーの上面側から見た斜視図（ａ）、段板の下面側から見た斜視図（ｂ）である。
【図６】ストリップ階段の組み立て工程を説明するための分解斜視図である。
【図７】本実施の形態のストリップ階段の側面図である。
【符号の説明】
【００４４】
１  ストリップ階段
１０  ささら桁
１０ａ  傾斜面
２０  段板
３０  段板支持プレート（段板プレート）
３１  切欠部
３２  固定部
３４  立ち上がり部（折曲部）
４０  段板カバー
４１  凹部
４２  収容部
４３  係合溝
５０  手すり
５１  手すり子
６０  受け材
Ａ  下階床面
【図１】
2006009358.tif 000003
【図２】
2006009358.tif 000004
【図３】
2006009358.tif 000005
【図４】
2006009358.tif 000006
【図５】
2006009358.tif 000007
【図６】
2006009358.tif 000008
【図７】
2006009358.tif 000009